【手続補正書】
【提出日】平成30年6月27日(2018.6.27)
【手続補正１】
【補正対象書類名】特許請求の範囲
【補正対象項目名】全文
【補正方法】変更
【補正の内容】
【特許請求の範囲】
【請求項１】
原稿上に存在するコードの位置をユーザから受け付ける受付手段と、
原稿を読み取る読取手段と、
前記読取手段によって読み取られた原稿の画像データにおける位置であって、前記受付手段によって受け付けた位置と当該位置に基づいて決定される他の位置からコードを検索する検索手段と、
前記検索手段による検索により見つかったコードをデコードするデコード手段と、
前記デコード手段によるデコードにより得られた情報に基づいて、前記画像データに対する処理を行う処理手段と
を有することを特徴とする画像処理装置。
【請求項２】
前記原稿の置かれた向きが縦であるか、横であるかを判定する判定手段をさらに有し、
前記検索手段がコードを検索する前記画像データにおける前記他の位置は、前記判定手段による判定の結果に基づいて決定される
ことを特徴とする請求項１に記載の画像処理装置。
【請求項３】
前記検索手段がコードを検索する前記画像データにおける前記他の位置は、前記受付手段によって受け付けた位置と、当該位置を１８０度回転させた位置からなることを特徴とする請求項１に記載の画像処理装置。
【請求項４】
前記検索手段が前記１８０度回転させた前記他の位置から前記コードを見つけた場合、前記処理には、前記画像データを１８０度回転させる処理が含まれることを特徴とする請求項３に記載の画像処理装置。 
【請求項５】
前記検索手段によって原稿上のコードの位置を自動で検索し、得られたコードの位置を記憶手段に記憶し、それ以降の前記読取手段による原稿の読み取りにおいては前記記憶手段に記憶されているコードの位置を前記検索手段における検索の対象領域として指定することを特徴とする請求項１に記載の画像処理装置。 
【請求項６】
前記画像データに対する処理とは、前記読取手段によって読み取られた原稿の画像データを所定のフォルダに格納する処理であり、
前記処理手段は、前記デコードによって得られた情報に基づいて格納先のフォルダを決定する
ことを特徴とする請求項１に記載の画像処理装置。
【請求項７】
前記画像データに対する処理とは、前記読取手段によって読み取られた原稿の画像データを所定のフォルダへ所定のファイル名を付けてファイルとして格納する処理であり、
前記処理手段は、前記デコードによって得られた情報に基づいて前記ファイル名を決定する
ことを特徴とする請求項１に記載の画像処理装置。
【請求項８】
原稿上に存在するコードの位置と前記原稿の読取指示を受け付ける手段と、
前記読取指示に基づいて、原稿を読み取る読取手段と、
前記位置で特定される第１の位置及び当該第１の位置を１８０度回転させることによって得られる第２の位置を検索の対象領域として、前記読取手段によって読み取られた原稿の画像データからコードを検索する検索手段と、
前記検索手段による検索によって見つかったコードをデコードして得られた情報に基づいて、前記画像データに対する所定の処理を行う処理手段と
を有することを特徴とする画像処理装置。
【請求項９】
前記原稿の置かれた向きを判定する判定手段をさらに備え、
前記第２の位置は、前記判定の結果に基づいて決定される、前記第１の位置を回転させた位置である
ことを特徴とする請求項８に記載の画像処理装置。
【請求項１０】
前記指示には、原稿の向きの情報を含み、
前記原稿の向きの情報で特定される向きと、実際に置かれた原稿の向きとが一致する場合、前記第２の位置は前記第１の位置を１８０度回転させた位置となる
ことを特徴とする請求項９に記載の画像処理装置。
【請求項１１】
前記コードが前記第１の位置を１８０度回転させた第２の位置から見つかった場合には、前記所定の処理には、前記画像データを１８０度回転させる処理が含まれることを特徴とする請求項１０に記載の画像処理装置。
【請求項１２】
前記位置と前記読取指示をユーザから受け付けるためのユーザインタフェース画面を表示する表示手段をさらに備え、
前記ユーザインタフェース画面には、前記指示を行うためのボタンが存在し、
前記ボタンに対応付けられた前記位置情報におけるコードの位置は、原稿の全面をコード検索対象として自動で検索を行なって得られた位置又はユーザが手動で入力した位置である
ことを特徴とする請求項８乃至１１のいずれか１項に記載の画像処理装置。
【請求項１３】
前記所定の処理は、前記スキャンにより得られた画像データを格納先フォルダに格納することであり、
前記格納先フォルダは、前記デコードによって得られた情報に基づいて決定される
ことを特徴とする請求項８乃至１１のいずれか１項に記載の画像処理装置。
【請求項１４】
前記所定の処理は、前記スキャンにより得られた画像データを格納先フォルダへファイル名を付けて格納することであり、
前記ファイル名は、前記デコードによって得られた情報に基づいて決定される
ことを特徴とする請求項８乃至１１のいずれか１項に記載の画像処理装置。
【請求項１５】
原稿上に存在するコードの位置をユーザから受け付ける受付工程と、
原稿を読み取る読取工程と、
前記読取工程にて読み取られた原稿の画像データにおける位置であって、前記受付工程にて受け付けた位置と当該位置に基づいて決定される他の位置からコードを検索する検索工程と、
前記検索工程にて見つかったコードをデコードするデコード工程と、
前記デコード工程にて得られた情報に基づいて、前記画像データに対する処理を行う処理工程と
を含むことを特徴とする画像処理方法。
【請求項１６】
原稿上に存在するコードの位置と前記原稿の読取指示を受け付ける工程と、
前記読取指示に基づいて、原稿を読み取る読取工程と、
前記位置で特定される第１の位置及び当該第１の位置を１８０度回転させることによって得られる第２の位置を検索の対象領域として、前記読取工程にて読み取られた原稿の画像データからコードを検索する検索工程と、
前記検索工程にて見つかったコードをデコードして得られた情報に基づいて、前記画像データに対する所定の処理を行う処理工程と
を含むことを特徴とする画像処理方法。
【請求項１７】
コンピュータに、請求項１５又は１６に記載の画像処理方法を実行させるためのプログラム。
【手続補正２】
【補正対象書類名】明細書
【補正対象項目名】発明の名称
【補正方法】変更
【補正の内容】
【発明の名称】画像処理装置、画像処理方法及びプログラム。
【手続補正３】
【補正対象書類名】明細書
【補正対象項目名】０００７
【補正方法】変更
【補正の内容】
【０００７】
上記第１の課題を解決するための本発明に係る画像処理装置は、原稿上に存在するコードの位置をユーザから受け付ける受付手段と、原稿を読み取る読取手段と、前記読取手段によって読み取られた原稿の画像データにおける位置であって、前記受付手段によって受け付けた位置と当該位置に基づいて決定される他の位置からコードを検索する検索手段と、前記検索手段による検索により見つかったコードをデコードするデコード手段と、前記デコード手段によるデコードにより得られた情報に基づいて、前記画像データに対する処理を行う処理手段とを有することを特徴とする。
【手続補正４】
【補正対象書類名】明細書
【補正対象項目名】０００８
【補正方法】変更
【補正の内容】
【０００８】
上記第２の課題を解決するための本発明に係る画像処理装置は、原稿上に存在するコードの位置と前記原稿の読取指示を受け付ける手段と、前記読取指示に基づいて、原稿を読み取る読取手段と、前記位置で特定される第１の位置及び当該第１の位置を１８０度回転させることによって得られる第２の位置を検索の対象領域として、前記読取手段によって読み取られた原稿の画像データからコードを検索する検索手段と、前記検索手段による検索によって見つかったコードをデコードして得られた情報に基づいて、前記画像データに対する所定の処理を行う処理手段とを有することを特徴とする。